(57)【要約】【課題】相乗的な美容効果を目元に効率的に与えることができる目元用美容器具を提供する。【解決手段】目元用美容器具は、凹部１５、および、凹部１５の下方に形成される肌当接面１７を備えるハウジング１２と、ハウジング１２を加熱するヒーター４０と、ヒーター４０の熱を肌当接面１７に伝達する伝熱板４１と、液体を保持できる構造を備え、ヒーター４０により加熱される給水プレート３０とを備える。伝熱板４１は肌当接面１７に沿う分割平板４３ａを含む。【選択図】図９
2014217777.tif 000002
【特許請求の範囲】
【請求項１】
凹部、および、前記凹部の下方に形成される肌当接面を備えるハウジングと、
前記ハウジングを加熱するヒーターと、
前記ヒーターの熱を前記肌当接面に伝達する伝熱板と、
液体を保持できる構造を備え、前記ヒーターにより加熱される液体保持部材と
を備え、
前記伝熱板は前記肌当接面に沿う分割平板を含む
目元用美容器具。
【請求項２】
前記肌当接面は前記ハウジングの外側に向けて突出する凸曲面であり、
前記肌当接面の裏面は前記凸曲面に対応した凹曲面であり、
前記分割平板は前記凹曲面に沿うように形成され、前記凹曲面と接触する
請求項１に記載の目元用美容器具。
【請求項３】
前記伝熱板の後面側に配置されるヒーターカバーをさらに備え、
前記ヒーターカバーは前記分割平板を前記肌当接面の裏面に押し付ける押付要素を含む
請求項１または２に記載の目元用美容器具。
【請求項４】
前記伝熱板は前記ヒーターの後面と接触する部分である接触部分を含み、
前記分割平板は前記接触部分と繋がり、
前記ヒーターカバーは前記接触部分を前記ヒーターに押し付ける押付要素をさらに含む
請求項３に記載の目元用美容器具。
【請求項５】
凹部、および、前記凹部の下方に形成される肌当接面を備えるハウジングと、
前記ハウジングを加熱するヒーターと、
前記ヒーターの熱を前記肌当接面に伝達する伝熱板と、
液体を保持できる構造を備え、前記ヒーターにより加熱される液体保持部材と、
前記伝熱板の後面側に配置されるヒーターカバーと
を備える目元用美容器具。
【請求項６】
凹部、および、前記凹部の下方に形成される肌当接面を備えるハウジングと、
前記ハウジングを加熱するヒーターと、
前記ヒーターの熱を前記肌当接面に伝達する伝熱板と、
液体を保持できる構造を備え、前記ヒーターにより加熱される液体保持部材と、
前記伝熱板を前記肌当接面に押し付ける押付要素と
を備える目元用美容器具。
【請求項７】
凹部、および、前記凹部の下方に形成される肌当接面を備えるハウジングと、
前記ハウジングを加熱するヒーターと、
前記ヒーターの熱を前記肌当接面に伝達する伝熱板と、
液体を保持できる構造を備え、前記ヒーターにより加熱される液体保持部材と、
前記伝熱板を前記ヒーターに押し付ける押付要素と
を備える目元用美容器具。
【発明の詳細な説明】
【技術分野】
【０００１】
本発明は目元に美容効果を与える目元用美容器具に関する。
【背景技術】
【０００２】
従来の目元用美容器具の一例によれば、目元を布状のアイマスクにより覆い、熱、振動、および、圧力を目元に与え、目元を効果的にマッサージする。この目元用美容器具は、アイマスクとカバーとの間にヒーター、エアバッグ、振動発生器、および、エアバッグを駆動するためのポンプが配置される。アイマスクは取り付け用ベルトにより顔面に装着される。目元用美容器具が駆動することにより、ヒーターの熱、振動発生器の振動、および、エアバッグの圧力が目元に付与され、眼精疲労等に効果があるマッサージが目元に施される。なお、特許文献１は従来の目元用美容器具の一例を開示している。
【先行技術文献】
【特許文献】
【０００３】
【特許文献１】実用新案登録第３１１５９４２号
【発明の概要】
【発明が解決しようとする課題】
【０００４】
特許文献１のマッサージ器によれば、熱、振動、および、圧力が布状のアイマスクを介して目元に与えられるため、熱等が目元に効率的に与えられないおそれがある。一方、目元に美容効果を与える別の手段として、水蒸気などの霧状液体であるミストを目元に供給し、目元を保湿する手段がある。
【０００５】
本発明の目的は相乗的な美容効果を目元に効率的に与えることができる目元用美容器具を提供することである。
【課題を解決するための手段】
【０００６】
本発明の一形態に従う目元用美容装置は、凹部、および、前記凹部の下方に形成される肌当接面を備えるハウジングと、前記ハウジングを加熱するヒーターと、前記ヒーターの熱を前記肌当接面に伝達する伝熱板と、液体を保持できる構造を備え、前記ヒーターにより加熱される液体保持部材とを備え、前記伝熱板は前記肌当接面に沿う分割平板を含む。
【発明の効果】
【０００７】
目元用美容器具の一形態は相乗的な美容効果を目元に効率的に与えることができる。
【図面の簡単な説明】
【０００８】
【図１】は実施の形態の目元用美容器具の使用状態を示す斜視図である。
【図２】は図１の目元用美容器具の平面図である。
【図３】は図１の目元用美容器具の正面図である。
【図４】は図１の目元用美容器具の背面図である。
【図５】は分解された図１の目元用美容器具の斜視図である。
【図６】は図１の目元用美容器具の断面図である。
【図７】は図１の目元用美容器具の内部の背面図である。
【図８】は図７のＡ−Ａ線の断面図である。
【図９】は図７のＢ−Ｂ線の断面図である。
【図１０】は図１の目元用美容器具の背面側の斜視図である。
【図１１】はパッドが取り外された図１０の目元用美容器具の斜視図である。
【図１２】は図１の目元用美容器具の底面側の斜視図である。
【図１３】は図４の給水プレートの把持部の斜視図である。
【図１４】は図５のヒーター等の背面側の斜視図である。
【図１５】は図５のヒーター等の正面側の斜視図である。
【発明を実施するための形態】
【０００９】
（目元用美容器具が取り得る形態の一例）
〔１〕本発明の一形態に従う目元用美容装置は、凹部、および、前記凹部の下方に形成される肌当接面を備えるハウジングと、前記ハウジングを加熱するヒーターと、前記ヒーターの熱を前記肌当接面に伝達する伝熱板と、液体を保持できる構造を備え、前記ヒーターにより加熱される液体保持部材とを備え、前記伝熱板は前記肌当接面に沿う分割平板を含む。
【００１０】
本目元用美容器具によれば、液体保持部材により凹部内に供給される温ミスト、および、伝熱板の分割平板から肌当接面に伝達される熱がそれぞれ目元に与えられる。このため、温ミストおよび熱により相乗的な美容効果が目元に効率的に与えられる。
【００１１】
〔２〕前記目元用美容器具の一形態は、前記肌当接面は前記ハウジングの外側に向けて突出する凸曲面であり、前記肌当接面の裏面は前記凸曲面に対応した凹曲面であり、前記分割平板は前記凹曲面に沿うように形成され、前記凹曲面と接触する。
【００１２】
本目元用美容器具によれば、肌当接面が目元に密着しやすい。また、ヒーターの熱が伝熱板の分割平板から肌当接面に効率的に伝達される。このため、例えば目元の血行を促進させる効果が高められる。
【００１３】
〔３〕前記目元用美容器具の一形態は、前記伝熱板の後面側に配置されるヒーターカバーをさらに備え、前記ヒーターカバーは前記分割平板を前記肌当接面の裏面に押し付ける押付要素を含む。
【００１４】
本目元用美容器具によれば、伝熱板の後面からの放熱がヒーターカバーにより抑えられる。このため、伝熱板の分割平板から肌当接面に熱が効率的に伝達される。また、伝熱板の分割平板が押付要素により肌当接面に押し付けられるため、伝熱板の分割平板から肌当接面に熱が一層効率的に伝達される。
【００１５】
〔４〕前記目元用美容器具の一形態は、前記伝熱板は前記ヒーターの後面と接触する部分である接触部分を含み、前記分割平板は前記接触部分と繋がり、前記ヒーターカバーは前記接触部分を前記ヒーターに押し付ける押付要素をさらに含む。
【００１６】
本目元用美容器具によれば、伝熱板の接触部分が押付要素によりヒーターに押し付けられるため、ヒーターから伝熱板に熱が効率的に伝達される。このため、伝熱板の分割平板から肌当接面に伝達される熱量が増加する。
【００１７】
〔５〕本発明の一形態に従う目元用美容装置は、凹部、および、前記凹部の下方に形成される肌当接面を備えるハウジングと、前記ハウジングを加熱するヒーターと、前記ヒーターの熱を前記肌当接面に伝達する伝熱板と、液体を保持できる構造を備え、前記ヒーターにより加熱される液体保持部材と、前記伝熱板の後面側に配置されるヒーターカバーとを備える。
【００１８】
本目元用美容器具によれば、液体保持部材により凹部内に供給される温ミスト、および、伝熱板から肌当接面に伝達される熱がそれぞれ目元に与えられる。このため、温ミストおよび熱により相乗的な美容効果が目元に効率的に与えられる。また、伝熱板の後面側にヒーターカバーが配置されるため、伝熱板の後面からの放熱がヒーターカバーにより抑えられる。このため、伝熱板から肌当接面に熱が効率的に伝達される。
【００１９】
〔６〕本発明の一形態に従う目元用美容装置は、凹部、および、前記凹部の下方に形成される肌当接面を備えるハウジングと、前記ハウジングを加熱するヒーターと、前記ヒーターの熱を前記肌当接面に伝達する伝熱板と、液体を保持できる構造を備え、前記ヒーターにより加熱される液体保持部材と、前記伝熱板を前記肌当接面に押し付ける押付要素とを備える。
【００２０】
本目元用美容器具によれば、液体保持部材により凹部内に供給される温ミスト、および、伝熱板から肌当接面に伝達される熱がそれぞれ目元に与えられる。このため、温ミストおよび熱により相乗的な美容効果が目元に効率的に与えられる。また、伝熱板が押付要素により肌当接面に押し付けられるため、伝熱板から肌当接面に熱が効率的に伝達される。
【００２１】
〔７〕本発明の一形態に従う目元用美容装置は、凹部、および、前記凹部の下方に形成される肌当接面を備えるハウジングと、前記ハウジングを加熱するヒーターと、前記ヒーターの熱を前記肌当接面に伝達する伝熱板と、液体を保持できる構造を備え、前記ヒーターにより加熱される液体保持部材と、前記伝熱板を前記ヒーターに押し付ける押付要素とを備える。
【００２２】
本目元用美容器具によれば、液体保持部材により凹部内に供給される温ミスト、および、伝熱板から肌当接面に伝達される熱がそれぞれ目元に与えられる。このため、温ミストおよび熱により相乗的な美容効果が目元に効率的に与えられる。また、伝熱板が押付要素によりヒーターに押し付けられるため、ヒーターから伝熱板に熱が効率的に伝達される。
【００２３】
（実施の形態）
図１〜図１５を参照して実施の形態について説明する。なお、以下の説明において、「前後方向」「左右方向」「上下方向」をいう場合は、目元用美容器具を目元に装着して、図１に示すように前方を向いた使用者を基準とした際の「前後方向」「左右方向」「上下方向」をいうものとする。前後方向は、使用者に近い方向を前方とする。
【００２４】
図１〜図６に示すように、本実施の形態の目元用美容器具（以下、「器具」と略すこともある）１は、装着時に使用者の目元に当接する弾性材料からなるパッド２１と、そのパッド２１が取り付けられる剛性材料からなる外郭を構成するハウジング１２と、カバー１１を備えている。
【００２５】
図１に示すように、ハウジング１２の左右両側に取着された装着バンド２０を使用者の後頭部にかけることにより、目および目の周囲を覆うように装着可能となっている。
図４、図８および図９に示すように、ハウジング１２の使用者の目元側には、左右対称状の凹部１５が形成され、その凹部１５の上方および左右両側を覆うようにパッド２１がハウジング１２に着脱可能に取着される。そして、図１に示すように器具１を装着した状態では使用者の目元の上方および左右両側がパッド２１で覆われる。
【００２６】
凹部１５は、図４および図６に示すように、器具１の装着状態で使用者の両目部分にそれぞれ対向するとともに、使用者の鼻梁と対応する中央位置で狭まって左右対称状に形成されている。
【００２７】
器具１の装着時において、使用者の目の周囲にパッド２１の上部および左右両側の周縁部である当接面２２が当接すると、使用者の目の周囲の肌に対して、ハウジング１２の凹部１５の開口縁部がパッド２１により延長される。そして、凹部１５の内面およびパッド２１の当接面２２と、使用者の目元との間に、鼻梁と対応する箇所（眼より下方）でのみ隙間を介して外部に繋がるほぼ閉空間の空間Ｓ（図６参照）が形成されるようになっている。
【００２８】
図４に示すように、パッド２１の当接面２２を上方から見た平面形状は、多数の男女の額周囲の形状の平均的な形状を、女性に対応するように相似的に縮小した形状となっている。また、パッド２１の材料は、顔へのフィット感、着脱の容易さ、汚れた場合にクリーニングのし易さおよび耐久性を考慮して、シリコンゴムが使用されている。そして、当接面２２の厚さは概ね１ｍｍ以下であり、図８に示すように、当接面２２の内側に形成されるハウジング１２への取付面２３より薄くなっている。
【００２９】
パッド２１の取付面２３には、ハウジング１２の外縁部に設けられている取付孔１４より一回り大きな外周形状で形成された突起２４が複数個設けられ、その突起２４を取付孔１４に弾性的に嵌合すると、パッド２１がハウジング１２に装着される。また、突起２４を取付孔１４から外すことによりパッド２１をハウジング１２から取り外し可能である。
【００３０】
図１１に示すように、ハウジング１２の左右両端部にはフック部１３がそれぞれ形成されている。そして、フック部１３には、必要に応じてゴムバンド等の装着バンド２０の端部が取着される。すなわち、図１に示すように、器具１のパッド２１を目元に当接させた状態で装着バンド２０を後頭部に掛けることにより、器具１が目元から落ちない。従って、装着バンド２０はパッド２１を使用者の目元に当接した状態に固定するための固定部材として機能する。
【００３１】
また、使用者が仰向けになった状態で、器具１のパッド２１を上方から目元に当接させれば、装着バンド２０は必ずしも必要ではない。
カバー１１の左右両側部は、ハウジング１２のフック部１３を覆うように延設され、使用時にはフック部１３が露出しないようになっている。なお、図２〜図６では装着バンド２０の図示を省略している。
【００３２】
図４に示すように、ハウジング１２の凹部１５内の奥部には、凹部１５の周縁形状と相似な外縁形状の給水プレート３０が着脱可能に嵌着されている。
図２に示すように、カバー１１の上面は有色透明な合成樹脂で形成され、その平面形状はほぼ三日月状である。そして、そのカバー１１の上面で操作部と表示部が構成されるとともに、左右一対のスイッチ５０が形成されている。
【００３３】
スイッチ５０は、その上端がカバー１１の上面から突出しないように取着され、器具１を上下方向にひっくり返した状態で机上に置いた場合でも、スイッチ５０が誤操作されないようになっている。
【００３４】
図５に示すように、カバー１１内において、カバー１１の上面の下方位置にはハウジング１２に保持される制御基板５１が配設され、その制御基板には制御回路および器具１の動作状態により点灯するＬＥＤが搭載されている。ＬＥＤの点灯状態は、カバー１１の上面に透過する光で認識される。
【００３５】
ハウジング１２の凹部１５の後側にはシート状のヒーター４０が設けられ、そのヒーター４０と凹部１５との間に位置するハウジング１２の加熱面１６に当接している。ヒーター４０の後面にはアルミ板で形成された伝熱板４１が当接している。伝熱板４１は、ヒーター４０で発生する熱を図８および図９に示すハウジング１２の肌当接面１７に伝達するようになっている。肌当接面１７は、ハウジング１２の凹部１５の下方において、左右方向に対称状に形成される。
【００３６】
また、伝熱板４１には、図１５に示すように、ヒーター４０の温度を間接的に検出する温度センサー４２が設けられ、その温度センサー４２の検出信号は制御回路に出力される。そして、制御回路はヒーター４０の温度があらかじめ設定された温度を超えないように、ヒーター４０に供給する電流を制御するようになっている。
【００３７】
図５に示すように、制御基板５１には電池ケース５２が設けられ、その電池ケース５２に充電可能な電池５３が保持されている。そして、制御回路およびヒーター４０は電池５３を電源として動作する。
【００３８】
図５および図９に示すように、ハウジング１２の肌当接面１７の内側には振動モーター５４が設けられている。振動モーター５４の動作は制御回路により制御され、その出力軸に取着された偏芯分銅５４ａの回転により振動を発生させ、その振動が肌当接面１７に伝達される。
【００３９】
図８に示すように、ハウジング１２の下面後部にジャック挿入口２９が設けられ、図３に示すように、ＡＣアダプターのジャック５６を差し込んで、電池５３を充電可能となっている。ジャック挿入口２９は、この器具１を水平面上に置いた状態で斜め下方に向かって露出されている。従って、この器具１の静置状態で上方から水がかかった場合、あるいは給水プレート３０から垂れた水がハウジング１２の下面まで伝い落ちた場合にも、その水がジャック挿入口２９内に容易には浸入しないようになっている。
【００４０】
カバー１１の下面の左右には脚部２８が設けられ、この器具１を机上に置いた場合に、ジャック挿入口２９に差し込まれたジャック５６に負荷をかけないようになっている。
また、重量物である電池５３がハウジング１２の後部（図８において左方）に位置してハウジング１２の重心が前後方向中央部より後方に位置するので、器具１が転倒した場合にはハウジング１２の後方が自動的に下方となって、ハウジング１２の凹部１５が上方を向いた状態となる。従って、給水プレート３０から垂れた水は、凹部１５からこぼれにくい。
【００４１】
次に、ミスト発生装置について説明する。図４、図５、図８および図９に示すように、ミスト発生装置は、加熱手段として機能するヒーター４０と、ミスト発生手段として機能する給水プレート３０とを備えている。
【００４２】
給水プレート３０は、耐熱性、耐スチーム性を備えた合成樹脂（例えばポリカーボネート、ポリブチレンテレフタレート）で形成され、液体としての水を表面張力により保持可能とした多数の小さな貫通孔３２が形成されている。貫通孔３２は、給水プレート３０の厚さ方向に貫通されている。
【００４３】
また、図４に示される多数の貫通孔３２は器具１が顔面に装着されたときに使用者の目と対向する領域に位置し、両眼の間の鼻梁に対向する位置には貫通孔３２が設けられていない。なお、この部分には貫通孔３２を疎らに設けてもよい。
【００４４】
図９に示すように、貫通孔３２の径は、給水プレート３０の目元に対する対向面３０ａ側の径がヒーター４０で過熱される受熱面３０ｂ側の径と同等以上となっている。なお、各貫通孔３２の直径は、表面張力を充分に確保するために、０．５ｍｍ〜１．５ｍｍ程度の大きさとすることが好ましい。
【００４５】
図５に示すように、給水プレート３０の後方において、ハウジング１２の加熱面１６がヒーター４０で加熱され、その加熱面１６に当接する給水プレート３０が加熱されて、各貫通孔３２に保持されている水が加熱される。すると、貫通孔３２に保持されている水が温ミストとなって凹部１５内に放出され、使用者の目元に供給されるようになっている。従って、給水プレート３０の対向面３０ａは、使用者の目元に向けてミストを放出するミスト放出部として機能する。このような構成により、給水プレート３０を加熱面１６に密着させることが好ましい。
【００４６】
図４および図８に示すように、ハウジング１２の凹部１５の天井面には、加熱面１６から給水プレート３０の板厚分隔てた位置に凸部１８ａが左右方向に一対設けられている。また、図４および図１３に示すように、ハウジング１２には、凸部１８ａの下方において、給水プレート３０の左右方向中央部に設けられた把持部３１の両側のフックを係止する凸部１８ｂが設けられている。
【００４７】
そして、給水プレート３０を凸部１８ａ，１８ｂに係合させると、給水プレート３０が加熱面１６に密着する状態で保持される。
このとき、給水プレート３０を加熱面１６側に向かって凸となるように反らせた状態で、給水プレート３０を凸部１８ａ，１８ｂに係合させれば、貫通孔３２の多い部分が加熱面１６に確実に密着して、ミストの発生が促進される。
【００４８】
図８に示すように、給水プレート３０の把持部３１は加熱面１６から離れるように前方に向かって延設されている。また、給水プレート３０の左右方向中央部は上下方向に幅狭であるとともに、さらに表面積が小さくなるように穴３０ｃが形成されている。従って、把持部３１には熱が伝わりにくく、かつ把持部３１に水を伝い難くしている。
【００４９】
なお、給水プレート３０の全部の貫通孔３２で保持される水の量は、器具１の１回の使用で必要とするミストを発生させ得る量としている。すなわち、この器具１の１回の使用後には給水プレート３０に水を殆ど残さず、僅かに残る水は加熱面１６の余熱だけで乾燥できるようにして、雑菌やカビの発生を抑えるようにしている。
【００５０】
ヒーター４０は、左右の眼の近傍でミストを効率よく発生させるために、給水プレート３０の左右両側部に対応する位置で発熱量が高くなるように形成されている。具体的には、シート状のヒーター４０にプリントされる電熱線の単位面積当たりの発熱量が給水プレート３０の左右両側部に対応する位置で高くなるように形成されている。
【００５１】
また、ヒーター４０の左右方向中間部では、電熱線の断面積を大きくして電気抵抗を下げることにより、発熱量を抑制するようにしている。
ヒーター４０の左右方向中間部の発熱量を抑制する手段として、上記の他に、ヒーター４０の左右方向中間部に放熱板を設けること、ヒーター４０を左右に分割してその間を抵抗値の低い通電材で接続することが考えられる。
【００５２】
給水プレート３０の左右方向中間部の温度を抑制する手段として、ヒーター４０の左右方向中間部で給水プレート３０との間で加熱面１６を構成するハウジング１２の肉厚を厚くすること、給水プレート３０左右方向中間部と加熱面１６との間に隙間を設けること等が考えられる。
【００５３】
次に、目元に熱を付与する熱付与装置について説明する。
ヒーター４０の後面には、伝熱板４１がヒーター４０と密着するように配設されている。また、図５および図１４に示すように、伝熱板４１の後方にはハウジング１２に取着されるヒーターカバー４９が配設され、そのヒーターカバー４９から伝熱板４１に向かって突出する多数の突起６１が形成されている。そして、突起６１で伝熱板４１がヒーター４０に向かって押圧されて密着するようになっている。
【００５４】
突起６１の先端は半球状に丸められ、伝熱板４１を充分に押圧するための強度を確保しながら、伝熱板４１との接触面積を小さくしてヒーターカバー４９への熱伝導を小さくするようになっている。
【００５５】
伝熱板４１は、ヒーター４０と密着する部分の下方で、凹部１５の下面に沿って水平方向に折り曲げられ、ハウジング１２に当接することなくハウジング１２の肌当接面１７近傍まで延設され、さらに肌当接面１７に沿って下方へ延びる５枚の分割平板４３ａ、４３ｂが形成されている。
【００５６】
図１０に示すように、ハウジング１２の肌当接面１７は、前方すなわち顔面側に向かって凸となる曲面であり、肌当接面１７の裏面の形状はその曲面に対応する凹曲面である。このため、図１４に示すように、伝熱板４１を肌当接面１７の裏面に密着させるために、凹曲面に沿うように５枚の分割平板４３ａ、４３ｂが凸曲面の一部を構成するように形成されている。
【００５７】
分割平板４３ａ、４３ｂは、中央に位置するものから側方に向かって順次長さが短くなるように形成されている。分割平板４３ａ、４３ｂの枚数は、５枚に限定されるものではなく、３〜１０枚程度としてもよい。
【００５８】
伝熱板４１の分割平板４３ａ、４３ｂには、ハウジング１２の肌当接面１７の裏面との密着性を確保するために、熱伝導性に優れたグリスが塗布される。
ヒーターカバー４９には、図１４に示すように、分割平板４３ａ、４３ｂを肌当接面１７の裏面に向かって押圧する突起６２が形成されている。そして、各分割平板４３ａ、４３ｂが突起６２に押圧されて、肌当接面１７の裏面に密着する。
【００５９】
突起６２の形状は、伝熱板４１をヒーター４０に向かって押圧する突起６１と同様な構成である。
分割平板４３ａ、４３ｂのうち、ハウジング１２の左右方向中央部側に位置する分割平板４３ｂの基端部近傍には、その分割平板４３ｂの折曲げ縁に沿う方向に長孔４５が形成されている。この長孔４５は、ヒーター４０から各分割平板４３ａ、４３ｂまでの熱伝導距離を概ね揃えるために形成されている。
【００６０】
このような構成により、分割平板４３ａの温度は、その他の分割平板４３ｂの温度と同等若しくはそれ以上となるように設定されている。
温度センサー４２は、中央に位置する分割平板４３ａの後面において、上下方向中央部に取着されている。すなわち、肌当接面１７は上下方向中央部より下方位置で、眼窩より下の頬部に当接するため、この頬部に対応する位置に温度センサー４２を配設している。
【００６１】
また、肌当接面１７は曲面状であるため、分割平板４３ａに対応する位置の肌当接面１７から肌面に対し最も押圧力が作用して、温度が伝わり易い。加えて、分割平板４３ａが分割平板４３ｂと同等若しくは高い温度となるため、分割平板４３ａの熱が肌当接面１７を介して肌面に最も伝わり易い。このようなことから、図１５に示すように分割平板４３ａに温度センサー４２が取着されている。
【００６２】
図４に示すようにさらに、眼窩の平均的な大きさを基に、ハウジング１２の凹部１５の上下方向の位置および幅と、肌当接面１７の上下方向の位置および幅が設計されているので、肌当接面１７の上部稜線部は殆ど肌面に接触しない。接触した場合においても、押圧力があまり作用しない部位であるため、熱伝導が少ない。
【００６３】
また、図１４等に示される伝熱板４１は分割平板４３ａ、４３ｂを除いて図５等に示されるハウジング１２と接触していないので、ヒーター４０に接する部分の近傍の熱がハウジング１２を介して肌面に伝達されることはない。従って、過剰な熱が肌面に伝達されないので、安全性が高い。
【００６４】
温度センサー４２は、図１５に示すように、分割平板４３ａに設けられた凸部４６で上下方向に位置決めしながら、爪４４を折曲げて固定されている。そして、凸部４６および爪４４は、分割平板４３ａを加工して形成されているので、分割平板４３ａ以外の部品を使用して温度センサー４２を固定する場合に比して、熱伝導損失を低く抑えることが可能となる。
【００６５】
分割平板４３ａに温度センサー４２を固定する手段は、上記の他、ヒーターカバー４９から突出される突起で温度センサー４２を押圧して固定すること、ヒーターカバー４９と温度センサー４２との間にゴムやスポンジ等の弾性体を挟み込んで固定すること等が考えられる。しかし、これらは、熱伝導損失が増大するため、必要に応じて対策を講じる必要がある。
【００６６】
伝熱板４１の板厚は、ヒーター４０の出力性能に応じて適切な厚さが選択されるが、この実施の形態では０．３ｍｍとしている。ヒーター４０への供給電力によって０．２〜２．０ｍｍ程度の範囲で検討することが望ましい。
【００６７】
すなわち、伝熱板４１はヒーター４０の熱を肌当接面１７を介して肌面に迅速に伝達する必要がある。伝熱板４１の厚さが不足すると、伝熱板４１の熱容量が小さくなって温度を保持し難くなる。
【００６８】
一方、伝熱板４１の厚さかが過大となると、伝熱板４１の熱容量が増大して、熱が分割平板４３ａ、４３ｂまで伝達され難くなるとともに、分割平板４３ａの温度が上限を超えたとき、ヒーター４０の通電を停止しても、温度のオーバーシュートが大きいため温度が迅速に下がらず、肌面に心地よい温度を安定して供給できなくなる。従って、上記のような板厚の範囲で最適な板厚を選択することが好ましい。
【００６９】
次に、肌面に振動を付与する振動付与装置について説明する。
図５、図６および図９に示すように、振動付与装置は振動モーター５４が制御基板５１上の制御回路から供給される制御電流により動作し、振動を発生させる。この振動モーター５４は肌当接面１７の後方において、ヒーターカバー４９に固定されている。
【００７０】
具体的には、ヒーターカバー４９は、伝熱板４１と同様に、上下方向に断面クランク状に屈曲された形状であり、伝熱板４１の後方で、伝熱板４１から一定の間隔を隔てた位置に配設される。
【００７１】
そして、ヒーターカバー４９から突出されるリブで振動モーター５４が同モーターの出力軸の軸方向および径方向に保持される。また、ヒーターカバー４９のリブと対向するようにモーターカバー５５からリブが突出され、モーターカバー５５をヒーターカバー４９との間に振動モーター５４を挟んでモーターカバー５５をヒーターカバー４９にネジで固定すると、振動モーター５４がモーターカバー５５とヒーターカバー４９に挟まれた状態で固定される。
【００７２】
このような構成により、振動モーター５４がゴム等の弾性緩衝材を介することなく、モーターカバー５５とヒーターカバー４９間に固定されているので、振動モーター５４が発生する振動は、大きく減衰することなくヒーターカバー４９に伝達される。そして、ヒーターカバー４９の振動がハウジング１２の肌当接面１７に伝達される。
【００７３】
ヒーターカバー４９は、上下方向の中間部である水平部に振動モーター５４を保持するためのリブが形成されているので、剛性が高くなり、振動モーター５４の振動が伝達され易い。
【００７４】
ヒーターカバー４９は、伝熱板４１の後方を覆って断熱するものである。ハウジング１２にはヒーター４０および伝熱板４１の外形に沿う位置に後方に向かってリブ６３が形成される。
【００７５】
そして、そのリブ６３の先端縁にヒーターカバー４９を当接させた状態でヒーターカバー４９がハウジング１２に固定されて、ハウジング１２とヒーターカバー４９とでヒーター４０および伝熱板４１を収容する閉空間Ｃが形成される。
【００７６】
また、図５に示すように、リブ６３の先端縁に複数の段差部６４が形成され、ヒーターカバー４９の周縁部にはリブ６３に嵌合する位置決め凸部６５が形成されている。そして、位置決め凸部６５を段差部６４に係合させて前後方向、上下方向および左右方向に位置決めしながらヒーターカバー４９をハウジング１２に固定すると、閉空間Ｃの密閉性が向上する。
【００７７】
分割平板４３ａ、４３ｂには熱伝導性を向上させるためにグリスを塗布している。このグリスはシリコンが含まれているものが一般的で、熱で揮発したシリコンが電気的接点部に付着して接点不良を引き起こすことがある。
【００７８】
しかし、この実施の形態では、グリスを塗布している部分が閉空間Ｃ内であるため、揮発したシリコンが閉空間Ｃの外に位置する振動モーター５４および制御回路等に悪影響を及ぼすことはない。
【００７９】
振動モーター５４の回転数は、制御回路上のマイコンの信号により制御される。複数の振動パターンが組み合わされたモードが複数設定され、スイッチ５０を押す度にモードを切り替え操作可能となっている。
【００８０】
次に、ミスト発生装置、熱付与装置および振動付与装置の制御部について説明する。
制御部は、ハウジング１２とカバー１１との間に収容される電池ケース５２と、電池ケース５２にセットされる電池５３と、電池ケース５２の上方に設けられた制御基板５１とを主要部として備えている。
【００８１】
電池５３は、充電可能とした蓄電池であり、ハウジング１２に設けられたジャック挿入口２９にジャック５６を介してＡＣアダプター（図示しない）を挿入することにより充電可能となっている。
【００８２】
制御回路は、電池５３から供給される電力に基づいてヒーター４０および振動モーター５４の動作を制御する。そして、スイッチ５０の押圧操作と、温度センサー４２から出力される温度検出信号に基づいて、振動モーター５４の回転数を制御するとともに、ヒーター４０との間に介在される開閉器を開閉して、ヒーター４０の発熱動作を制御している。
【００８３】
次に、上記のように構成された目元用美容器具の作用を説明する。
上記目元用美容器具１を使用する際には、図１に示すように、パッド２１で目元を覆う状態となるように器具１を装着する。装着バンド２０を使用しない場合には、図６に示すように、パッド２１の当接面２２を額からこめかみにかけて接触させ、ハウジング１２の肌当接面１７を頬に接触させた状態で、顔を仰向けにする等して、器具１が目元からずれないように保持する。
【００８４】
パッド２１は、シリコンゴム等の弾性材料であり、当接面２２の厚さは約１ｍｍ以下となっていて，ハウジング１２への取付面２３の厚さ（約２ｍｍ）より薄くなっているため、変形し易い。このため、使用者の顔が大きくても、器具１を顔に載せて上を向けば、器具１の自重によりパッド２１の当接面２２が外側へ広がって顔面に密着する。
【００８５】
また、大きさの異なるパッドを複数（例えばＳ，Ｍ，Ｌサイズ）用意し、使用者の顔の大きさに合わせてパッドを交換可能とすることで、密着性を確保することも可能である。
顔が極端に大きかったりあるいは小さかったりして、器具１の重量だけでは充分に密着しない場合には、装着バンド２０を使用してパッド２１の当接面２２を顔面に密着させるようにする。
【００８６】
装着バンド２０を取着するフック部１３は、カバー１１で覆われているので、器具１を誤って落下させたり、さまざまな方向で置かれたりした場合でも、フック部１３に直接作用する負荷が軽減されるので、不用意な破損を防止することが可能である。
【００８７】
また、パッド２１外縁部分やハウジング１２とパッド２１との嵌合部分も、カバー１１によりほぼ覆われるので、さまざまな方向で置かれたりした場合でも、これらの部分に無用な負荷が作用することを防止することができる。従って、長時間放置された場合にも、パッド２１の変形を防止することができる。
【００８８】
また、重量物である電池５３がハウジング１２の後部に位置してハウジング１２の重心が前後方向中央部より後方に位置するので、器具１を机上に置いた場合、いずれの場合にも凹部１５が上方を向いた状態となる。従って、パッド２１の左右両端の薄肉部は机上面から浮いた状態となるので、パッド２１の変形が防止される。
【００８９】
使用時に、スイッチ５０が押圧されてオン状態となると、制御回路が動作して、ヒーター４０への通電が開始される。するとヒーター４０が発熱してハウジング１２の加熱面１６の温度が上昇し、その熱で給水プレート３０の貫通孔３２に保持されている水が加熱される。
【００９０】
すると、水が蒸気化して温ミストが生成され、その温ミストが給水プレート３０の対向面３０ａから凹部１５内の空間Ｓに放出される。このとき、水を保持している貫通孔３２が給水プレート３０上において目元と対向する部分に集中的に形成されているので、温ミストが使用者の目元に集中的に供給される。
【００９１】
また、貫通孔３２の径が給水プレート３０の対向面３０ａに向かって大きくなっていれば、貫通孔３２内の熱交換面積が対向面３０ａに向かって広くなるため、蒸気化効率が上昇する。この結果、ヒーター４０が発熱してから温ミストが発生するまでの時間を短縮することが可能となる。
【００９２】
貫通孔３２から放出された高温の温ミストは、ほぼ閉空間の空間Ｓを浮遊し、かつ温度を低下させながら使用者の目元に向かって移動する。従って、高温の温ミストが目元の肌に直接的に吹き付けられることはない。
【００９３】
目元側に移動した温ミストは、目元の肌に付着する。すると、適温の温ミストで目元の肌に潤いが与えられるので、目元の肌の加湿および保湿、乾燥の抑制、キメの細かさの向上と、血行促進による疲労回復が図られる。
【００９４】
制御回路は、適度なミストを発生させるために、ミスト温度が３５℃〜４５℃（望ましくは３９℃〜４４℃）の範囲、ミスト量が１０ｍｇ〜１００ｍｇ／分（望ましくは１０ｍｇ〜６０ｍｇ／分）の範囲となるようにヒーター４０の温度を制御する。
【００９５】
節電および低音やけどの回避を図るために、ヒーター４０に対する通電は、通電開始から所定時間（本実施の形態では一例として１２分）が経過すると、制御回路制御により遮断される。
【００９６】
ヒーター４０が発熱すると、ヒーター４０の後面に密着する伝熱板４１が加熱され、その熱は伝熱板４１の下部の分割平板４３ａ、４３ｂからハウジング１２の肌当接面１７を介して眼の下方部分の肌に伝達される。伝熱板４１はその上部および下部でヒーター４０とハウジング１２の肌当接面１７以外には接触せず、ハウジング１２とヒーターカバー４９とで囲まれる閉空間Ｃ内に配設されている。従って、無用な放熱が阻止され、ヒーター４０で発熱した熱は同ヒーター４０から伝熱板４１を介して肌当接面１７に効率よく伝達される。
【００９７】
ヒーター４０への通電開始とともに、振動モーター５４への通電が開始される。すると、振動モーター５４で発生する振動がヒーターカバー４９に伝達され、ヒーターカバー４９の突起６２から分割平板４３ａ、４３ｂを介してハウジング１２の肌当接面１７に伝達される。また、振動モーター５４の振動は、ヒーターカバー４９の外縁からハウジング１２のリブ６３を経ては肌当接面１７に伝達され、このような伝達経路により、振動が肌当接面１７に効率よく伝達される。
【００９８】
肌当接面１７は、布やゴム等の軟質の材料ではなく、硬質の材料で形成されて直接肌に押し当てられるので、振動モーター５４で発生する振動は大きく減衰することなく肌当接面１７に伝達される。
【００９９】
また、凹部１５の上方および側方でパッド２１が凹部１５を取り囲むように顔面に当接しているので、ハウジング１２の振動で肌面に対し肌当接面１７がずれることもない。
このような肌当接面１７の振動により、使用者の目元に対し適度なマッサージ効果が得られ、目元の血行促進に寄与する。特に、クマのできやすい眼の下側の肌に集中して振動が伝わるため、クマ解消の効果が大きい。
【０１００】
目元用美容器具１によれば、以下の効果を得ることができる。
（１）ミスト発生装置で発生する温ミストと、熱付与装置で発生する熱と、振動付与装置で発生する振動により、目元に潤いを与えるとともに適度なマッサージを施すことができる。従って、目元の血行の促進を図り、眼精疲労および目の下のクマの解消を図ることができる。
【０１０１】
（２）眼の下方の肌面に硬質材のハウジング１２に設けた肌当接面１７を当接させ、眼の側方および上方をハウジング１２に取着した軟質材のパッド２１で覆って眼に対向する位置に空間Ｓを形成した。従って、ミスト発生装置として給水プレート３０から空間Ｓ内に供給される温ミストの空間Ｓからの漏れを抑制して、目元の肌に対する加湿効果および温熱効果を向上させることができる。
【０１０２】
（３）硬質材のハウジング１２に形成した肌当接面１７を眼の下の肌面に直接当接させ、その肌当接面１７を振動モーター５４で振動させるので、眼の下の肌面に振動を効率よく伝達することができる。
【０１０３】
（４）ヒーター４０と、ヒーター４０で発生される熱を肌当接面１７に伝達する伝熱板４１をハウジング１２とヒーターカバー４９とで覆われる閉空間Ｃ内に収容した。そして、ヒーターカバー４９を隔壁とするように、振動モーター５４を閉空間Ｃの外部でヒーターカバー４９に取着したので、ヒーター４０の熱による振動モーター５４の過熱を防止することができる。従って、振動モーター５４の信頼性を向上させることができる。
【０１０４】
（５）シート状のヒーター４０をほぼ伝熱板４１と、肌当接面１７の裏面と、給水プレート３０を加熱するに加熱面１６にのみ当接させたので、ヒーター４０で発生する熱を肌当接面１７および給水プレート３０に効率よく伝達することができる。
【０１０５】
（６）振動モーター５４および制御基板５１を閉空間Ｃの外部に取着したので、伝熱板４１と肌当接面１７の裏面との間に塗布される熱伝導グリスから揮発したシリコンが振動モーター５４および制御回路等に悪影響を及ぼすことはない。
【０１０６】
（７）ヒーターカバー４９から突出される突起６１で伝熱板４１をヒーター４０に押圧するので、ヒーター４０で発生される熱を伝熱板４１に効率よく伝達することができる。
（８）ヒーターカバー４９から突出される突起６２で伝熱板４１の分割平板４３ａ、４３ｂを肌当接面１７の裏面に押圧するので、伝熱板４１から肌当接面１７に熱を効率よく伝達することができる。
【０１０７】
（９）振動モーター５４からヒーターカバー４９に伝達される振動を、突起６２を介してハウジング１２の肌当接面１７に効率よく伝達することができる。
（１０）突起６１，６２の先端を半球状としたので、突起６１，６２の先端と伝熱板４１との接触面積を小さくして、伝熱板４１からヒーターカバー４９への熱伝導を抑制しながら、伝熱板４１をヒーター４０および肌当接面１７の裏面に押圧するための十分な押圧力を発生させることができる。
【０１０８】
（１１）パッド２１を軟質で弾性を備えたシリコンゴムで形成したので、顔面に密着し易い。
（１２）パッド２１の当接面２２部分の肉厚を薄くしたので、顔面に密着し易い。
【０１０９】
（１３）パッド２１をハウジング１２に対し着脱可能としたので、ハウジング１２から取り外して洗浄することも容易である。
（１４）装着バンド２０を取着するフック部１３をパッド２１の外側でハウジング１２に設けたので、装着バンド２０でパッド２１の両側を顔面に押しつけて、パッド２１を顔面に密着させることができる。
【０１１０】
（１５）給水プレート３０をハウジング１２に対し着脱可能としたので、容易に取り外して洗浄することができる。
（１６）給水プレート３０の両眼の間に対向する部分は幅狭に形成され、ヒーター４０はその幅狭部分に対向する位置で発熱量が抑制されている。また、給水プレート３０の幅狭部分に把持部３１が形成されている。従って、給水プレート３０の幅狭部分の温度を抑制して、使用者の鼻梁付近に過度の熱が付与されることを防止することができるとともに、使用後に把持部３１を持って給水プレート３０をハウジング１２から容易に取り外すことができる。
【０１１１】
（１７）給水プレート３０の左右方向中央部は幅狭に形成され、その幅狭部には水を保持する貫通孔３２が設けられていない。従って、使用者の鼻梁に水が漏れることはなく、眼の周囲を中心に温ミストを供給することができる。
【０１１２】
（１８）給水プレート３０の幅狭部分に穴３０ｃが形成されているとともに、把持部３１はハウジング１２の加熱面１６から離れるように前方に向かって延設されているので、把持部３１に熱が伝わり難い。従って、使用後に把持部３１を持って給水プレート３０を容易に取り外すことができる。
【０１１３】
（１９）給水プレート３０を加熱面１６側に向かって凸となるように反らせた状態で、給水プレート３０をハウジング１２の凸部１８ａ，１８ｂに係合させれば、容易な取付操作で貫通孔３２の多い部分を加熱面１６に確実に密着させることができる。
【０１１４】
（２０）重量物である電池５３がハウジング１２の後部に位置してハウジング１２の重心が前後方向中央部より後方に位置するので、器具１が転倒した場合にはハウジング１２の後方が自動的に下方となって、ハウジング１２の凹部１５が上方を向いた状態となる。従って、給水プレート３０から垂れた水は凹部１５からこぼれにくい。
【０１１５】
（２１）ジャック挿入口２９は、器具１を水平面上に置いた状態で斜め下方に向かって露出されている。従って、器具１の静置状態で上方から水がかかった場合、あるいは給水プレート３０から垂れた水がハウジング１２の下面まで伝い落ちた場合にも、その水がジャック挿入口２９内への浸入を防止することができる。
【０１１６】
（変形例）
実施の形態に関する説明は本発明の目元用美容器具が取り得る形態の例示であり、その形態を制限することを意図していない。本発明の目元用美容器具は実施の形態以外に例えば以下に示される実施の形態の変形例を取り得る。
【０１１７】
・伝熱板４１の材質は熱伝導に優れたアルミニウムとは別の材質に変更できる。別の材質の一例は銅、金、銀、白金、ベリリウム、タングステン、マグネシウム、モリブデン、鉄、ニッケル、パラジウム、もしくは、鉛等の熱伝導に優れた金属、または、アルミニウム合金、ステンレス鋼、マグネシウム合金、合金鋼、ニッケル合金、銅合金、もしくは、鉄合金等の合金である。
【０１１８】
・目元用美容器具１の電源は充電可能な電池５３とは別の電源に変更できる。別の電源の一例は乾電池または商用電源である。
・突起６１および突起６２の先端部の形状は球面状とは別の形状に変更できる。別の形状の一例は多角錐状である。
【０１１９】
・目元用美容器具１の別の形態は突起６１および突起６２の先端部と伝熱板４１との間に断熱材をさらに備える。
（課題を解決するための手段に関する付記）
〔付記１〕：凹部、および、前記凹部の下方に形成される肌当接面を備えるハウジングと、前記ハウジングを加熱するヒーターと、前記ヒーターの熱を前記肌当接面に伝達する伝熱板と、液体を保持できる構造を備え、前記ヒーターにより加熱される液体保持部材とを備える目元用美容器具。
【０１２０】
〔付記２〕：前記肌当接面を振動させる振動発生器をさらに備える付記１に記載の目元用美容器具。
〔付記３〕：前記ハウジングに取り付けられ、前記ハウジングとの間に前記ヒーター、前記伝熱板、および、前記振動発生器を収容するカバー、ならびに、前記伝熱板の後面側に配置されるヒーターカバーをさらに備え、前記振動発生器が前記ヒーターカバーに取り付けられる付記２に記載の目元用美容器具。
【０１２１】
〔付記４〕：前記ヒーターカバーは前記伝熱板を前記肌当接面の裏面に押し付ける押付要素を含む付記３に記載の目元用美容器具。
〔付記５〕：前記押付要素の先端が球面状である付記４に記載の目元用美容器具。
【符号の説明】
【０１２２】
１    ：目元用美容器具（器具）
１１  ：カバー
１２  ：ハウジング
１３  ：フック部
１４  ：取付孔
１５  ：凹部
１６  ：加熱面
１７  ：肌当接面
１８ａ：凸部
１８ｂ：凸部
２０  ：装着バンド
２１  ：パッド
２２  ：当接面
２３  ：取付面
２４  ：突起
２８  ：脚部
２９  ：ジャック挿入口
３０  ：給水プレート（液体保持部材）
３０ａ：対向面
３０ｂ：受熱面
３０ｃ：穴
３１  ：把持部
３２  ：貫通孔
４０  ：ヒーター
４１  ：伝熱板
４２  ：温度センサー
４３ａ：分割平板
４３ｂ：分割平板
４４  ：爪
４５  ：長孔
４６  ：凸部
４９  ：ヒーターカバー
５０  ：スイッチ
５１  ：制御基板
５２  ：電池ケース
５３  ：電池
５４  ：振動モーター
５４ａ：偏芯分銅
５５  ：モーターカバー
５６  ：ジャック
６１  ：突起
６２  ：突起
６３  ：リブ
６４  ：段差部
６５  ：位置決め凸部
Ｃ    ：閉空間
Ｓ    ：空間
【図１】
2014217777.tif 000003
【図２】
2014217777.tif 000004
【図３】
2014217777.tif 000005
【図４】
2014217777.tif 000006
【図５】
2014217777.tif 000007
【図６】
2014217777.tif 000008
【図７】
2014217777.tif 000009
【図８】
2014217777.tif 000010
【図９】
2014217777.tif 000011
【図１０】
2014217777.tif 000012
【図１１】
2014217777.tif 000013
【図１２】
2014217777.tif 000014
【図１３】
2014217777.tif 000015
【図１４】
2014217777.tif 000016
【図１５】
2014217777.tif 000017